(57)【特許請求の範囲】
【請求項１】
圧力を検知する流体が導入される流体導入本体と、流体導入本体内の流体圧力に応じて動作する可動接片と、可動接片に対向して配設される帯状の固定接片と、固定接片を支持するスイッチ受け体の外周部に配設される導電性材料製の円筒形のアースボデーと、アースボデーの外周部に装備される合成樹脂製のスイッチカバーを有し、帯状の固定接片は、円筒形のアースボデーの円筒両端側縁部のうちスイッチ受け体が固定接片を支持する側と同じ側の端縁部を挾む延長部を備え、アースボデーの上記端縁部にカシメ加工を施すことによって、固定接片とアースボデーが電気的に結合される圧力スイッチ。
【請求項２】
圧力を検知する流体が導入される流体導入本体と、流体導入本体内の流体圧力に応じて動作する可動接片と、可動接片に対向して配設される帯状の固定接片と、固定接片を支持するスイッチ受け体の外周部に配設される導電性材料製の円筒形のアースボデーと、アースボデーの円筒両端側縁部のうちスイッチ受け体が固定接片を支持する側と同じ側の端外周部に装備される合成樹脂製のスイッチカバーを有し、固定接片とアースボデーの上記端縁部とを挾む導電性材料製のスペーサを備え、アースボデーの上記端縁部にカシメ加工を施すことによって、固定接片、スペーサとアースボデーが電気的に結合される圧力スイッチ。
【請求項３】
圧力を検知する流体が導入される流体導入本体と、流体導入本体内の流体圧力に応じて動作する可動接片と、可動接片に対向して配設される帯状の固定接片と、固定接片を支持するスイッチ受け体の外周部に配設される導電性材料製の円筒形のアースボデーと、アースボデーの外周部に装備される合成樹脂製のスイッチカバーを有し、帯状の固定接片は、円筒形のアースボデーの円筒両端側縁部のうちスイッチ受け体が固定接片を支持する側と同じ側の端縁部に形成される切欠部に挿入され、アースボデーの上記端縁部にカシメ加工を施すことによって、固定接片とアースボデーが電気的に結合される圧力スイッチ。
【発明の詳細な説明】
【０００１】
【発明の属する技術分野】
本発明は、圧力スイッチに係り、特に、流体の圧力に応動して電気的接点の開閉を行う圧力スイッチに関する。
【０００２】
【従来の技術】
この種の圧力スイッチは、例えば、ディーゼル車の燃料フィルタタンクに内蔵されて使用されるものであり、該使用において外気温等の関係でエンジンオイル（軽油）が低温になったとき、該低温に基づいて前記タンク内が負圧となるが、この負圧を検知して電気的接点の開閉を行うものである。前記軽油は、低温になるとシャーベット状になってその流れが悪くなりタンク内に負圧を生じるが、該軽油を加温することで前記弊害を排除できるもので、前記圧力スイッチは、該タンク内の負圧を検出することで電気的接点を開閉させ、ヒータをオン・オフさせ、タンク内の温度調節を行って、前記弊害に対処している。
【０００３】
図１０は、本発明者等が先に提案した特願平８−２２０８８９号に係る圧力スイッチ２０を示す断面図であり、フェノール樹脂よりるスイッチ受け体２１に、スイッチの固定接片２２が取り付けられ、熱可塑性樹脂よりなるスイッチケース２３に、スイッチの可動接片２４が取り付けられており、２２ａ，２４ａは、その各接点である。前記スイッチケース２３は、下部周縁をスイッチ受け体２１と突き合わせ接触しており、前記スイッチケース２３内に前記固定接片２２と前記可動接片２４とを収容している。前記スイッチケース２３は、上部にプラグ部を形成して端子２５を配置し、該端子２５の内部端が前記可動接片２４に電気的に接続され、前記端子２５を電源に接続することによって、前記可動接片２４に給電するようになっている。
【０００４】
前記スイッチ受け体２１には、前記可動接片２４を上下作動させるスイッチレバー２６が貫通挿通されており、前記スイッチ受け体２１の下部には、ステンレス製の円盤状の板ばね２７が配置され、該板ばね２７は前記スイッチレバー２６を固定しており、前記板ばね２７のスナップ反転作動によって、前記スイッチレバー２６を上下方向に作動している。スリーブ状の流体導入本体２８は、前記スイッチ受け体２１の下部に配置され、該流体導入本体２８の上方に形成されたフランジ部２９を前記スイッチ受け体２１に当接させて取り付けられると共に、該流体導入本体２８内の圧力応動室４１には、移動部材３０が上下に移動可能に配置されていると共に、圧力調節ばね受け体３１が位置調節可能に螺合され、かつ、圧縮コイルばね３２が、前記移動部材３０と前記ばね受け体３１との間に装着されている
【０００５】
前記板ばね２７の下面には、ダイヤフラム３３が張設されていて流体導入本体２８から導入される流体の上方への流れを封止すると共に、該流体の圧力とコイルばね３２の付勢力とを前記板ばね２７が受けるようになっている。流体の圧力が定常状態のときは、前記圧縮コイルばね３２による付勢力と流体の圧力とで、前記板ばね２７を上方にスナップ反転させ、前記スイッチレバー２６を上方に移動させた状態とし、前記固定接片２４と可動接片２２との接点２４ａと接点２２ａとを離した状態としている。また、圧力応動室４１が負圧となると、前記板ばね２７が前記コイルばね３２に抗して下方にスナップ反転して前記スイッチレバー２６を下方に移動させて、前記可動接片２４と固定接片２２との接点２４ａと接点２２ａとを接触させて通電させる。
【０００６】
導電体の金属製よりなる筒状のアースボデー３４は、前記スイッチ受け体２１、前記スイッチケース２３、及び、前記流体導入本体２８のフランジ部２９の三部材の外周部に配置され、下方のフック部３５によって流体導入本体２８のフランジ部２９は掛止させる共に、アースボデー３４の上方端部３４ｂを内側にかしめることによって、前記三部材を固定している。
【０００７】
前記スイッチケース２３の下部外周面には、断面Ｌ形の突出段付部２３ａを有したフランジ部３６が形成され、前記アースボデー３４は、前記スイッチ受け体２１の固定接片２２の取付部に相当する内周面に、その径を拡大させた段差部３４ａを形成している。前記固定接片２２は、前記アースボデー３４の段差部３４ａの曲折部位に沿ってＬ形の曲折されて当接され、且つ、前記拡大された径の段差部３４ａの内周面に沿って上方に延び、前記スイッチケース２３の突出段付部２３ａに向けて、屈曲されていると共に、前記アースボデー３４の上方端部を内側に絞り込むことでかしめられている。前記アースボデー３４と図示しないアース端子との間には図示しないヒータが接続されている。合成樹脂製のスイッチカバー３７が前記アースボデー３４を覆っており、流体をシールするためのＯリング３８，３９，４０が各部材の接合部に配置されている。
【０００８】
【発明が解決しようとする課題】
本発明は、上述した構造を有する圧力スイッチにあって、固定接片とアースボデーの間の電気的な接続をより確実にする圧力スイッチを提供するものである。
【０００９】
【課題を解決するための手段】
前記目的を達成すべく、本発明の圧力スイッチは、基本的な手段として、圧力を検知する流体が導入される流体導入本体と、流体導入本体内の流体圧力に応じて動作する可動接片と、可動接片に対向して配設される帯状の固定接片と、固定接片を支持するスイッチ受け体の外周部に配設される導電性材料製の円筒形のアースボデーと、アースボデーの外周部に装備される合成樹脂製のスイッチカバーを有する。
そして、帯状の固定接片は、円筒形のアースボデーの円筒両端側縁部のうちスイッチ受け体が固定接片を支持する側と同じ側の端縁部を挾む延長部を備え、アースボデーの上記端縁部にカシメ加工を施すことによって、固定接片とアースボデーが電気的に結合されるものである。
【００１０】
また、固定接片とアースボデーの上記端縁部とを挾む導電性材料製のスペーサを備え、アースボデーの上記端縁部にカシメ加工を施すことによって、固定接片、スペーサとアースボデーが電気的に結合されることもできる。
さらに、帯状の固定接片は、円筒形のアースボデーの上記端縁部に形成される切欠部に挿入され、アースボデーの上記端縁部にカシメ加工を施すことによって、固定接片とアースボデーが電気的に結合される構成とすることもできる。
【００１１】
【発明の実施の形態】
以下、図面により本発明の一実施形態について説明する。
図１は本発明の実施の態様を示す断面図である。
本発明の圧力スイッチ２０は、図１０で説明した圧力スイッチと基本的な構成は同様であるので、同一の符号を付して詳細な説明を省略する。
この圧力スイッチ２０は、スリーブ状の流体導入本体２８が相手部材６０に対してシール部材６２を介して固着される。
固定接片２２は細長い帯状のもので導電性の材料でつくられた円筒状のアースボディ３４に対してカシメ部３４ｂ１により電気的に接触される。
アースボデー３４には、図示しないアース線が接続され、適宜のアース部材に連結される。
【００１２】
本発明の圧力スイッチにあっては、この帯状の固定接片２２とアースボデー３４の電気的な接触構造をより確実な構造とした圧力スイッチを提供するものである。
すなわち、本発明の圧力スイッチにあっては、図１，図２に帯状の固定接片２２の先端に延長部２２０を設け、この延長部２２０をアースボデー３４の上縁部３４２を挾む構成を採用している。そして、固定接片２２の延長部２２０がアースボデー３４の上縁部３４２を挾んだ状態でカシメ部３４ｂ１を加工してある。
【００１３】
図３は、このカシメ加工を説明する図である。
スイッチケース２３のフランジ部３６に形成された溝３６ａに沿って立ち上がる帯状の固定接片２２の延長部２２０は、アースボデー３４の上縁部３４２を跨いで下向きに折り曲げられる。帯状の固定接片２２は、例えば銅合金等の展性に富む材料でつくられるので、容易に折り曲げることができる。
この状態で、内面が円弧面１０２に形成された金型１００を用いて圧力Ｐを加えて、固定接片の延長部２２０とアースボデー３４の上縁部３４２を内側に折り曲げて、カシメ部３４ｂ１を加工する。
このカシメ構造にあっては、導電性材料でつくられた帯状の固定接片２２の延長部２２０が導電性材料でつくられたアースボデー３４の上縁部３４２を挾んだ状態で機械的にカシメ加工されるので、両者は強い圧力で接合し、確実な電気的結合が達成される。
【００１４】
図４，図５は、本発明の他の実施の態様を示す。
本態様にあっては、可撓性を有する帯状の導電性材料を折り曲げて形成されるスペーサ部材３００を備えるものである。
このスペーサ部材３００の折り返し部３１０を固定接片２２とアースボデー３４の上縁部３４２に覆せ、圧力Ｐを加えてカシメ部３４ｂ１を形成したものである。
導電性材料でつくられるスペーサ３００によって、固定接片２２とアースボデー３４を共締めしてあるので、確実な電気的結合を達成することができる。
【００１５】
図６から図９は、本発明の更に他の実施の態様を示す。
本態様にあっては、固定接片２２に延長部を設ける必要はなく、図１０に示した圧力スイッチの固定端子と同じ長さで足りる。しかし、図７に示すように固定接片２２の先端に外方への折曲部２２ｂを形成してある。
一方、図６に示すように、アースボデー３４０は、段状の切欠部３４２と切欠部３４２の底壁に設けられる逃げ溝３４６を有する。
切欠部３４２の幅寸法は、固定接片２２の幅寸法に対応したもので、固定接片を受け入れる。
【００１６】
この状態で、図８に示すように、金型により圧力Ｐを加えてカシメ部３４０ｂを加工する。
このカシメ加工によって、図９に示すように切欠部３４２の壁面３４２ａは固定接片２２側へ押し付けられ、両者は機械的に強固に結合される。
この構成によって、固定接片２２とアースボデー３４０の間は電気的に確実に接続される。
【００１７】
【発明の効果】
本発明は以上のように、圧力により作動する可動接片を有し、固定接片を外側に配設するアースボデーに接続する圧力スイッチにおいて、固定接片とアースボデーを強固に接続する構成とすることで、確実な電気的な結合を達成できるものである。
【図面の簡単な説明】
【図１】本発明の一実施態様に係る圧力スイッチの断面図。
【図２】本発明の一実施態様に係る圧力スイッチの要部の断面図。
【図３】本発明の一実施態様に係る圧力スイッチのカシメ加工手段を示す説明図。
【図４】本発明の他の実施態様に係る圧力スイッチの要部の断面図。
【図５】本発明の他の実施態様に係る圧力スイッチに使用されるスペーサの斜視図。
【図６】本発明の他の実施態様に係る圧力スイッチに使用されるアースボデーの斜視図。
【図７】本発明の更に他の実施態様に係る圧力スイッチの部品の斜視図。
【図８】本発明の更に他の実施態様に係る圧力スイッチの要部の断面図。
【図９】本発明の更に他の実施態様に係る圧力スイッチのアースボデーの正面図。
【図１０】先願に係る圧力スイッチの断面図。
【符号の説明】
２０  圧力スイッチ
２２  固定接片
２３  スイッチケース
２４  可動接片
３４  アースボデー
３４ｂ１  カシメ部
３７  スイッチカバー
２２０  固定接片延長部
【図１】
0004046796.tif 000002
【図２】
0004046796.tif 000003
【図３】
0004046796.tif 000004
【図４】
0004046796.tif 000005
【図５】
0004046796.tif 000006
【図６】
0004046796.tif 000007
【図７】
0004046796.tif 000008
【図８】
0004046796.tif 000009
【図９】
0004046796.tif 000010
【図１０】
0004046796.tif 000011